(57)【要約】【課題】素子駆動ユニット内の不揮発性メモリから輝度補正値を正常に読み出すことができない場合においても表示品質の低下を防ぐことができる画像表示装置およびその制御方法を提供する。【解決手段】画像表示装置１００は、複数個の素子駆動ユニット１０と１個の制御ユニット２０とを備える。素子駆動ユニット１０は、発光表示素子を駆動して画像を表示するためのものであり、表示素子群１１の画素毎の輝度のばらつきの補正に用いられる輝度補正値データを記憶する第一不揮発性メモリ１３を備える。制御ユニット２０は、複数個の素子駆動ユニット１０を制御するためのものであり、輝度補正値データをバックアップ用に記憶する第二不揮発性メモリ２３を備える。【選択図】図１
2006343467.tif 000002
【特許請求の範囲】
【請求項１】
複数個の発光表示素子を駆動して画像を表示するための素子駆動ユニットと、
前記素子駆動ユニットを制御するための制御装置を有する制御ユニットと
を備え、
前記素子駆動ユニットは、前記複数個の発光表示素子の輝度のばらつきを補正するための第一輝度補正値を記憶する第一記憶装置を有し、
前記制御ユニットは、前記第一輝度補正値をバックアップするための第二輝度補正値を記憶する第二記憶装置を有する
画像表示装置。
【請求項２】
請求項１に記載の画像表示装置であって、
前記制御装置は、予め定められた固定輝度補正値を記憶する第三記憶装置を内蔵する
画像表示装置。
【請求項３】
請求項１に記載の画像表示装置の制御方法であって、
前記制御装置が前記第一記憶装置から前記第一輝度補正値を正常に読み出すことができるかどうかを判定する異常判定工程と、
前記異常判定工程において前記第一輝度補正値を正常に読み出すことができないと判定された場合に前記制御装置が前記第二記憶装置から前記第二輝度補正値を読み出す工程と
を備える画像表示装置の制御方法。
【請求項４】
請求項２に記載の画像表示装置の制御方法であって、
前記制御装置が前記第三記憶装置から前記固定輝度補正値を読み出すことにより少なくとも前記固定輝度補正値の暫定的使用を可能とする固定輝度補正値読み出し工程と、
前記固定輝度補正値読み出し工程の後に前記制御装置が前記第一記憶装置から前記第一輝度補正値を正常に読み出すことができるかどうかを判定する異常判定工程と、
前記異常判定工程において前記第一輝度補正値を正常に読み出すことができないと判定された場合に前記制御装置が前記第二記憶装置から前記第二輝度補正値を読み出す工程と
を備える画像表示装置の制御方法。
【請求項５】
請求項３又は請求項４に記載の画像表示装置の制御方法であって、
前記異常判定工程において、前記制御装置は、前記第一輝度補正値が正常であるかどうかを判定する
画像表示装置の制御方法。
【請求項６】
請求項３又は請求項４に記載の画像表示装置の制御方法であって、
前記異常判定工程において、前記制御装置は、前記素子駆動ユニット・前記制御ユニット間で通信異常が生じたかどうかを判定する
画像表示装置の制御方法。
【請求項７】
請求項３又は請求項４に記載の画像表示装置の制御方法であって、
前記異常判定工程において、前記制御装置は、前記制御ユニット内で通信異常が生じたかどうかを判定する
画像表示装置の制御方法。
【請求項８】
請求項５に記載の画像表示装置の制御方法であって、
前記異常判定工程において前記第一輝度補正値が正常であると判定された場合であって、且つ前記第二記憶装置に記憶されている前記第二輝度補正値が前記第一輝度補正値と同一ではない場合には、前記制御装置が前記第一輝度補正値を前記第二記憶装置に書き込む工程
をさらに備える画像表示装置の制御方法。
【請求項９】
請求項５に記載の画像表示装置の制御方法であって、
前記異常判定工程において前記第一輝度補正値が正常ではないと判定された場合であって、且つ前記第二記憶装置に記憶されている前記第二輝度補正値が正常である場合には、前記制御装置が前記第二輝度補正値を前記第一記憶装置に書き込む工程
を備える画像表示装置の制御方法。
【請求項１０】
請求項４に記載の画像表示装置の制御方法であって、
前記異常判定工程において、前記制御装置は、前記第一輝度補正値が正常であるかどうかを判定し、
前記異常判定工程において前記第一輝度補正値が正常ではないと判定された場合であって、且つ前記第二記憶装置に記憶されている前記第二輝度補正値が正常でない場合には、前記制御装置が前記暫定的使用に引き続き前記固定輝度補正値を使用する工程
を備える画像表示装置の制御方法。
【発明の詳細な説明】
【技術分野】
【０００１】
本発明は、画像表示装置およびその制御方法に関し、特に、画素毎の発光光度のばらつきを低減するための技術に関する。
【背景技術】
【０００２】
ＬＥＤや蛍光表示管等の発光表示素子を画素として配列させた大型画像表示装置では、一般に、全ての画素を同じ条件で駆動させた場合には、各々の発光表示素子が有する発光光度のばらつきにより、画面上の表示が均一にならず画面全域にわたりざらついて見えてしまうという問題がある。このような問題を防ぐためには、発光表示素子を駆動する素子駆動手段において、各々の発光表示素子が有する発光光度のばらつきを吸収するための輝度補正が必要となる。
【０００３】
特許文献１〜２には、輝度補正のためのデータを予め不揮発性メモリに保存する画像表示装置の例が示されている。
【０００４】
【特許文献１】特開平９−１９８００７号公報（第１０頁、第２図）
【特許文献２】特開２００２−２８７６８８号公報
【発明の開示】
【発明が解決しようとする課題】
【０００５】
特許文献１〜２に示される画像表示装置においては、発光表示素子を駆動して画像を表示するための素子駆動手段と素子駆動手段を制御するための制御手段とが物理的に同じ箇所に実装されている。しかし、表示すべき画面が大きい場合等には、素子駆動手段と制御手段とを、それぞれ、物理的に離れた別々の基板上に配置し、素子駆動手段を複数個の素子駆動ユニットに分割して１個の制御手段すなわち１個の制御ユニットで駆動させた方が、コストパフォーマンスを高くすることができる。この素子駆動ユニットは、専用の輝度調整装置で輝度調整を行うことができる最小単位として、例えば１６ドット×１６ドット毎等に設けられ、１個の素子駆動ユニットに対して１個の不揮発性メモリが実装される。そして、各素子駆動ユニットは、全ての発光表示素子を発光させその発光光度が一定となるように輝度補正値を導出し、この輝度補正値を各不揮発性メモリに予め記憶させる。
【０００６】
しかし、上述したように、素子駆動ユニットと制御ユニットとが物理的に離れた別々の基板上に配置されるので、これらの基板間で通信異常が発生した場合には、輝度補正値を制御ユニット内のマイコンに読み出すことができない。従って、各々の発光表示素子が有する発光光度のばらつきを吸収することができなくなるという問題点があった。
【０００７】
また、素子駆動ユニット内の不揮発性メモリに記憶された輝度補正値にデータ破壊が発生した場合にも、同様に、各々の発光表示素子が有する発光光度のばらつきを吸収することができなくなるという問題点があった。
【０００８】
本発明は以上の問題点を解決するためになされたものであり、素子駆動ユニット内の不揮発性メモリから輝度補正値を正常に読み出すことができない場合においても表示品質の低下を防ぐことができる画像表示装置およびその制御方法を提供することを目的とする。
【課題を解決するための手段】
【０００９】
本発明に係る画像表示装置は、複数個の発光表示素子を駆動して画像を表示するための素子駆動ユニットと、素子駆動ユニットを制御するための制御装置を有する制御ユニットとを備え、素子駆動ユニットは、複数個の発光表示素子の輝度のばらつきを補正するための第一輝度補正値を記憶する第一記憶装置を有し、制御ユニットは、第一輝度補正値をバックアップするための第二輝度補正値を記憶する第二記憶装置を有する。
【発明の効果】
【００１０】
本発明に係る画像表示装置は、複数個の発光表示素子を駆動して画像を表示するための素子駆動ユニットと、素子駆動ユニットを制御するための制御装置を有する制御ユニットとを備え、素子駆動ユニットは、複数個の発光表示素子の輝度のばらつきを補正するための第一輝度補正値を記憶する第一記憶装置を有し、制御ユニットは、第一輝度補正値をバックアップするための第二輝度補正値を記憶する第二記憶装置を有する。従って、素子駆動ユニットと制御ユニットとの間で通信異常が発生した場合においても、第二記憶装置に記憶された第二輝度補正値を用いて制御を行うことにより、表示される画像の画素毎の発光光度のばらつきを吸収することができる。よって、表示品質の低下を防ぐことができるという効果を奏する。
【発明を実施するための最良の形態】
【００１１】
本発明に係る画像表示装置およびその制御方法は、素子駆動ユニットに実装される不揮発性メモリに加えて、制御ユニットにも不揮発性メモリを実装させることを特徴とする。以下、本発明の各実施の形態について説明する。
【００１２】
＜実施の形態１＞
図１は、実施の形態１に係る画像表示装置１００の構成を示すブロック図である。
【００１３】
図１に示されるように、画像表示装置１００は、複数個の素子駆動ユニット１０と１個の制御ユニット２０とを備える。素子駆動ユニット１０は、発光表示素子を駆動して画像を表示するためのものであり、制御ユニット２０は、複数個の素子駆動ユニット１０を制御するためのものである。素子駆動ユニット１０と制御ユニット２０とは、それぞれ別々の基板上に構成され、信号ケーブル（図示しない）により接続されている。
【００１４】
素子駆動ユニット１０は、複数個（例えば１６ドット×１６ドット等）のＬＥＤや蛍光表示管等の発光表示素子（画素）からなる表示素子群１１と、表示素子群１１を駆動するための表示素子ドライバ１２と、表示素子群１１の画素毎の輝度のばらつきの補正に用いられる輝度補正値データを記憶する第一不揮発性メモリ１３（第一記憶装置）とを備える。第一不揮発性メモリ１３に記憶される輝度補正値データは、各素子駆動ユニット１０に含まれる画素数（１６ドット×１６ドット等）に対応したデータ量を有する。
【００１５】
制御ユニット２０は、マイコン２１（制御装置）と、補正値メモリ２２と、第二不揮発性メモリ２３と、映像メモリ２４と、演算制御器２５とを備える。
【００１６】
マイコン２１は、画像表示装置１００全体の統括制御や、素子駆動ユニット１０との輝度補正値データの送受信等の通信制御を行う。
【００１７】
補正値メモリ２２は、ＲＡＭからなり、輝度補正値データを記憶する。
【００１８】
第二不揮発性メモリ２３（第二記憶装置）は、輝度補正値データをバックアップ用に記憶するためのものである。
【００１９】
補正値メモリ２２および第二不揮発性メモリ２３には、画像表示装置１００に含まれる全画素数に対応するデータ量を有する輝度補正値データが記憶される。なお、補正値メモリ２２へ記憶される輝度補正値データは、後述するように、第一不揮発性メモリ１３または第二不揮発性メモリ２３から読み出され展開されたデータである。
【００２０】
映像メモリ２４は、ＲＡＭからなり、画像表示装置１００に含まれる全画素数に対応するデータ量を有する映像信号データが画像表示装置１００外部に配置された上位制御部から演算制御器２５を介して入力され、この映像信号データを一時的に記憶する。
【００２１】
また、演算制御器２５は、映像メモリ２４に記憶された映像信号データおよび補正値メモリ２２に記憶された輝度補正値データとを演算することにより、素子駆動ユニット１０を駆動するための（全画素数と同数の）ドライバ駆動データを生成する。このとき、演算制御器は、映像信号データ全体および輝度補正値データ全体から、所望の表示素子群１１を駆動するためのデータのみをそれぞれ指定して同期したタイミングで読み出す。そして、読み出した各データに演算を行うことにより所望の表示素子群１１を駆動するためのドライバ駆動データを生成し、対応するいずれかの素子駆動ユニット１０へ送信する。この読み出し動作および演算動作は、メモリアドレスを順次進めることにより、最終的に、全ての表示素子群１１に対して行われる。これにより、全ての素子駆動ユニット１０に含まれる全ての発光表示素子に対する駆動が行われる。
【００２２】
図２は、発光表示素子の発光光度ばらつきを吸収するための輝度補正を示す模式図である。
【００２３】
図２（ａ）に示されるように、表示素子群１１は、複数個の発光表示素子１１１〜１１４（図２（ａ）では、説明の都合上、２ドット×２ドットである場合が示されている）を備えている。発光表示素子１１１〜１１４は、それぞれ、赤色（Ｒ）を表示するための発光表示素子１１１Ｒ〜１１４Ｒ、緑色（Ｇ）を表示するための発光表示素子１１１Ｇ〜１１４Ｇ、および青色（Ｂ）を表示するための発光表示素子１１１Ｂ〜１１４Ｂを有している。
【００２４】
例えば、発光表示素子１１１のみが、発光表示素子１１２〜１１４に比べて輝度が２／３倍と暗い場合には、発光表示素子１１１の輝度補正値は、発光表示素子１１２〜１１４の輝度補正値の１／（２／３）倍＝１．５倍に設定し、明るさを等しくする必要がある。
【００２５】
メモリマップ２４０は、発光表示素子１１１〜１１４がそれぞれ有する発光表示素子１１１Ｒ〜１１４Ｒ、発光表示素子１１１〜１１４がそれぞれ有する１１１Ｇ〜１１４Ｇ、および発光表示素子１１１〜１１４がそれぞれ有する１１１Ｂ〜１１４Ｂに関する映像メモリ２４内の輝度データの割り付けを行っている。メモリマップ２４０においては、全発光表示素子に対して、一様な８ビットデータとして、例えば２００が設定されている。
【００２６】
メモリマップ２２０は、発光表示素子１１１〜１１４がそれぞれ有する発光表示素子１１１Ｒ〜１１４Ｒ、発光表示素子１１１〜１１４がそれぞれ有する１１１Ｇ〜１１４Ｇ、および発光表示素子１１１〜１１４がそれぞれ有する１１１Ｂ〜１１４Ｂに関する補正値メモリ２２内の輝度補正値データの割り付けを行っている。メモリマップ２２０においては、発光表示素子１１１Ｒ，１１１Ｇ，１１１Ｂに対しては例えば１５０が設定され、発光表示素子１１２Ｒ〜１１４Ｒ，１１２Ｇ〜１１４Ｇ，１１２Ｂ〜１１４Ｂに対しては例えば１００が設定されている。
【００２７】
演算結果テーブル２５０は、メモリマップ２２０に示される輝度データのそれぞれとメモリマップ２４０に示される輝度補正値データのそれぞれとの積から生成されるドライバ駆動データが示されている。演算結果テーブル２５０に示されるドライバ駆動データにおいては、発光表示素子１１１のドライバ駆動データは２００×１５０＝３００００であり、発光表示素子１１２〜１１４のドライバ駆動データは２００×１００＝２００００である。すなわち、輝度が小さく暗い発光表示素子１１１は、比較的に輝度が大きく明るい発光表示素子１１２〜１１４に比べて１．５倍のドライバ駆動データで駆動される。これにより、全ての発光表示素子の明るさを等しくなるように輝度を補正することができる。
【００２８】
従来の画像表示装置の運用においては、図１に示されるマイコン２１は、画像表示装置１００の電源が立ち上げられた直後に、第一不揮発性メモリ１３に保存（記憶）されている輝度補正値データを読み出す。そして、マイコン２１は、読み出された輝度補正値データを、演算制御器２５を介して、補正値メモリ２２に展開する。発光表示素子の発光光度のばらつきを吸収するための輝度補正は、全画素すなわち全発光表示素子にわたって行われる。すなわち、全ての素子駆動ユニット１０は、それぞれ第一不揮発性メモリ１３を有しており、それぞれの第一不揮発性メモリ１３に保存された輝度補正値データは全て補正値メモリ２２に展開される。
【００２９】
しかし、上述したように、素子駆動ユニット１０と制御ユニット２０とは、それぞれ別の基板上に構成されるので、素子駆動ユニット１０と制御ユニット２０との間で通信エラーが発生する確率は比較的高い。以下では、このような通信エラーを第一通信エラーと呼ぶ。第一通信エラーが発生した場合には、第一不揮発性メモリ１３に保存されている輝度補正値データをマイコン２１で読み出すことができないので、補正値メモリ２２に適切な輝度補正値データを設定することができなくなり、画像表示装置１００全体にわたって制御が全く行われない状態（無制御状態）となる。従って、画面全域にわたって、表示される画像が著しく劣化してしまう場合があるという問題点があった。
【００３０】
本実施の形態に係る画像表示装置１００においては、無制御状態となることを防ぐために、素子駆動ユニット１０に実装される第一不揮発性メモリ１３に加えて、制御ユニット２０にも第二不揮発性メモリ２３を実装させている。
【００３１】
第二不揮発性メモリ２３には、第一不揮発性メモリ１３と同一の輝度補正値データが予めバックアップ用に設定される。この設定手法としては、例えば、別々の設定機器等を用いることにより、別々に設定すればよい。また、１個の第二不揮発性メモリ２３に対して複数個の第一不揮発性メモリ１３の内容が設定されるので、第二不揮発性メモリ２３の容量は第一不揮発性メモリ１３に比べて十分に大きく定められる必要がある。以下では、第一不揮発性メモリ１３に記憶される輝度補正値データを第一輝度補正値と呼び、第二不揮発性メモリ２３に記憶される輝度補正値データを第二輝度補正値と呼ぶ。
【００３２】
図３は、本実施の形態に係る画像表示装置１００の制御方法を示すフローチャートである。
【００３３】
まず、ステップＳ１において、画像表示装置１００全体の電源が立ち上げられる。このとき、別々の基板上に構成された素子駆動ユニット１０と制御ユニット２０とにもそれぞれ電源供給が開始される。
【００３４】
次に、ステップＳ２へ進み、マイコン２１は、第一不揮発性メモリ１３から第一輝度補正値の読み出しを行う。
【００３５】
次に、ステップＳ３へ進み、マイコン２１は、ステップＳ２において第一輝度補正値の読み出しを正常に行うことができたかどうかから、素子駆動ユニット１０と制御ユニット２０との間で第一通信エラーが発生しているかどうかを判定する。読み出しを正常に行うことができた場合には、第一通信エラーが発生していないと判定し、ステップＳ４へ進み補正値メモリ２２へ第一輝度補正値を展開した後に動作を終了する。一方、読み出しを正常に行うことができない場合には、第一通信エラーが発生していると判定し、ステップＳ５へ進み第二不揮発性メモリ２３から第二輝度補正値の読み出しを行った後にステップＳ６へ進む。そして、ステップＳ６において補正値メモリ２２へ第二輝度補正値を展開した後に動作を終了する。
【００３６】
このように、本実施の形態に係る画像表示装置１００は、素子駆動ユニット１０に実装される第一不揮発性メモリ１３に加えて、制御ユニット２０にも第二不揮発性メモリ２３を実装させる。従って、別々の基板上にそれぞれ構成される素子駆動ユニット１０と制御ユニット２０との間で通信異常が発生した場合においても、第二不揮発性メモリ２３から補正値メモリ２２に輝度補正値を展開するような制御を行うことにより、表示される画像の画素毎の発光光度のばらつきを吸収することができる。よって、表示品質の低下を防ぐことができるという効果を奏する。
【００３７】
＜実施の形態２＞
実施の形態１においては、ステップＳ３において、第一通信エラーが発生しているかどうかを判定している。しかし、この判定は、第一通信エラーに限らず、第一不揮発性メモリ２３から第一輝度補正値を正常に読み出すことができないようなエラーであればよく、例えば、第一輝度補正値のデータ破壊等であってもよい。
【００３８】
図４は、実施の形態２に係る画像表示装置の制御方法を示すフローチャートである。図４は、図３において、ステップＳ３に引き続きステップＳ３−１を行うものである。
【００３９】
ステップＳ３−１において、マイコン２１は、第一不揮発性メモリ１３から読み出された第一輝度補正値が正常であるかどうかを、後述するようなチェックサム（第一チェックサム）を用いて判定する。そして、読み出された第一輝度補正値が正常である場合には、第一チェックサムエラーが発生していないと判定し、ステップＳ４へ進む。一方、読み出された第一輝度補正値が正常でない場合には、第一チェックサムエラーが発生していると判定し、ステップＳ５へ進む。
【００４０】
図５は、第一不揮発性メモリ２３に記憶された第一輝度補正値のデータ破壊等を検知するためのチェックサムを用いた計算を示す模式図である。
【００４１】
図５（ａ）には正常な場合のチェックサム３０３が、図５（ｂ）にはデータ破壊が発生した場合のチェックサム３０３’が、それぞれ示されている。
【００４２】
図５（ａ）においては、８ビット形式からなる正常な輝度補正値データ３０１＝”０１００１００１”と、８ビット形式からなる正常な輝度補正値データ３０２＝”０１００００１０”と、輝度補正値データ３０１，３０２の排他的論理和からなるチェックサム３０３＝”００００１０１１”が示されている。輝度補正値データ３０１，３０２およびチェックサム３０３は、いずれも第一不揮発性メモリ１３に記憶されている。マイコン６は、３０１，３０２を読み出し排他的論理和を算出し、得られた値”００００１０１１”がチェックサム３０３と一致することから、データ破壊が発生していないと判定する。
【００４３】
図５（ｂ）は、図５（ａ）において、輝度補正値データ３０１のＭＳＢにデータ破壊が発生した場合の輝度補正値データ３０１’＝”１１００１００１”が示されている。マイコン２１は、輝度補正値データ３０１’，３０２を読み出し排他的論理和を算出し、得られたチェックサム３０３’＝”１０００１０１１”が正常な場合のチェックサム３０３と一致しないことから、データ破壊が発生したと判定する。
【００４４】
なお、上述においては、輝度補正値データ３０１，３０２からなる計１６ビットのデータについて説明したが、実際には、輝度補正値データ全てについて予めチェックサムが算出され第一不揮発性メモリ１３に記憶される。また、上述においては、チェックサムを得るための算出手法として排他的論理和を例にとり説明したが、排他的論理和に限らず、輝度補正値データ３０１，３０２に基づくものであればどのような演算であってもよい。
【００４５】
このように、本実施の形態に係る画像表示装置の制御方法では、ステップＳ３−１において、第一不揮発性メモリ１３に記憶された第一輝度補正値が正常であるかどうかを判定する。従って、実施の形態１の効果に加えて、データ破壊等の異常が発生した場合においても、表示品質の低下を防ぐことができるという効果を奏する。
【００４６】
＜実施の形態３＞
実施の形態１〜２においては、第一不揮発性メモリ１３と第二不揮発性メモリ２３とには、同一の輝度補正値が、別々の設定機器等を用いて別々に設定される。しかし、第一不揮発性メモリ１３と第二不揮発性メモリ２３とを別々に設定すると、例えば複数個の素子駆動ユニット１０のうちの１個が保守等で交換され第一不揮発性メモリ１３に記憶される輝度補正値データが変更された場合等には、第一不揮発性メモリ１３に設定される輝度補正値と第二不揮発性メモリ２３に設定される輝度補正値とが異なることになる。従って、この変更にあわせて第二不揮発性メモリ２３に記憶された輝度補正値データを書き換える必要がある。
【００４７】
図６は、実施の形態３に係る画像表示装置の制御方法を示すフローチャートである。図６は、図４において、ステップＳ４に引き続きステップＳ４−１〜Ｓ４−３を行うものである。
【００４８】
ステップＳ４−１において、マイコン２１は、第二不揮発性メモリ２３から第二輝度補正値の読み出しを行う。
【００４９】
次に、ステップＳ４−２へ進み、マイコン２１は、ステップＳ４−１で第二不揮発性メモリ２３から読み出された第二輝度補正値を用いてチェックサム（第二チェックサム）を算出する。そして、この第二チェックサムがステップＳ３−１で算出された第一チェックサムと一致するかどうかを判定する。第二チェックサムが第一チェックサムに一致すると判定された場合には、第一輝度補正値と第二輝度補正値とは一致しており第二不揮発性メモリ２３の書き換えは不要であると考えられので、動作を終了する。第二チェックサムが第一チェックサムに一致しないと判定された場合には、第一輝度補正値と第二輝度補正値とは一致していないと考えられるので、ステップＳ４−３へ進み第二不揮発性メモリ２３への第一輝度補正値の書き込みを行った後に、動作を終了する。
【００５０】
このように、本実施の形態に係る画像表示装置の制御方法では、第一不揮発性メモリ１３に記憶されている第一輝度補正値と第二不揮発性メモリ２３に記憶されている第二輝度補正値とが異なる場合には、第二輝度補正値を第一輝度補正値に書き換える。従って、実施の形態２の効果に加えて、複数個の素子駆動ユニット１０のうちの１個が保守等で交換された場合におけるバックアップが可能となるので、システムの信頼性を高めることができるという効果を奏する。
【００５１】
また、本実施の形態に係る画像表示装置の制御方法では、第一輝度補正値と第二輝度補正値とが一致するかどうかを、第一チェックサムと第二チェックサムとが一致するかどうかで判定する。従って、第一輝度補正値と第二輝度補正値とを直接に比較する場合に比べて、演算を容易に行うことが可能となる。
【００５２】
＜実施の形態４＞
実施の形態１〜２においては、ステップＳ１で画像表示装置１００全体の電源が立ち上げられた後に、ステップＳ２へ進み第一不揮発性メモリ１３から第一輝度補正値の読み出しを行う。そして、ステップＳ３で第一通信エラーが発生していると判定された場合やステップＳ３−１で第一チェックサムエラーが発生していると判定された場合には、ステップＳ５へ進み第二不揮発性メモリ２３から第二輝度補正値の読み出しを行う。しかし、第一不揮発性メモリ１３および第二不揮発性メモリ２３からの読み出しには、画像表示装置１００の制御容量によっては数秒程度と比較的に長い期間を要する場合がある。この期間においては、補正値メモリ２２に輝度補正値が設定されず輝度補正が全く行われない無制御状態となるので、画面全域にわたって、表示される画像が著しく劣化してしまう。
【００５３】
図７は、実施の形態４に係る画像表示装置の制御方法を示すフローチャートである。図７は、図４において、ステップＳ１に引き続きステップＳ１−１を行うものである。
【００５４】
ステップＳ１−１において、マイコン２１は、内蔵する図示しないＲＯＭ（第三記憶装置）に予め記憶されている所定の固定輝度補正値を補正値メモリ２２へ展開する。この固定輝度補正値は、図２に示されるメモリマップ２２０において、全発光表示素子１１１〜１１４に一様なデータを割り付けたものである。この固定輝度補正値を補正値メモリ２２に設定することにより、画素毎の発光光度のばらつきを吸収することはできないが画像表示装置１００が無制御状態となることは防ぐことができる。
【００５５】
このように、本実施の形態に係る画像表示装置の制御方法では、ステップＳ１で画像表示装置１００全体の電源が立ち上げられた後に、ステップＳ４における補正値メモリ２２への第一輝度補正値の展開またはステップＳ６における補正値メモリ２２への第二輝度補正値の展開が行われるまでの期間においては、暫定的に、内蔵するＲＯＭに予め記憶されている固定輝度補正値を用いてダミーの輝度補正を行う。従って、実施の形態２の効果に加えて、ステップＳ１で画像表示装置１００全体の電源が立ち上げられた後に無制御状態となることを防ぐことができるという効果を奏する。
【００５６】
＜実施の形態５＞
実施の形態１〜４においては、ステップＳ３で、それぞれ別々の基板上に構成される素子駆動ユニット１０と制御ユニット２０との間で第一通信エラーが発生していると判定された場合には、ステップＳ５へ進み第二不揮発性メモリ２３から第二輝度補正値の読み出しを行う。しかし、素子駆動ユニット１０と制御ユニット２０との間のみならず、制御ユニット２０内において、マイコン２１と第二不揮発性メモリ２３との間で通信エラーが発生する場合もあり得る。以下では、このような通信エラーを第二通信エラーと呼ぶ。
【００５７】
また、実施の形態２〜４においては、ステップＳ３−１で、第一不揮発性メモリ１３から読み出された第一輝度補正値が正常であるかどうかを第一チェックサムを用いて判定し、第一チェックサムエラーが発生している場合には、ステップＳ５へ進み第二不揮発性メモリ２３から第二輝度補正値の読み出しを行う。しかし、第一輝度補正値のみならず、第二輝度補正値にチェックサムエラーが発生する場合もあり得る。このような場合には、第二不揮発性メモリ２３から第二輝度補正値を正常に読み出すことができず補正値メモリ２２に適切な輝度補正値が設定されないので、発光光度のばらつきを吸収できない。
【００５８】
図８は、実施の形態５に係る画像表示装置の制御方法を示すフローチャートである。図８は、図７において、ステップＳ５に引き続きステップＳ５−１〜Ｓ５−２を行うものである。
【００５９】
ステップＳ５−１において、マイコン２１は、ステップＳ５で第二輝度補正値の読み出しを正常に行うことができたかどうかから、マイコン２１と第二不揮発性メモリ２３との間で第二通信エラーが発生しているかどうかを判定する。読み出しを正常に行うことができた場合には、第二通信エラーが発生していないと判定しステップＳ５−２へ進み、読み出しを正常に行うことができない場合には、第二通信エラーが発生していると判定し動作を終了する。
【００６０】
ステップＳ５−２において、マイコン２１は、ステップＳ５で読み出された第二輝度補正値が正常であるかどうかを、前述したようなチェックサム（第二チェックサム）を用いて判定する。そして、読み出された第二輝度補正値が正常である場合にはステップＳ６へ進み、読み出された第二輝度補正値が正常でない場合には動作を終了する。
【００６１】
このように、本実施の形態に係る画像表示装置の制御方法では、ステップＳ５−１において第二通信エラーが発生していると判定された場合およびステップＳ５−２において第二チェックサムエラーが発生していると判定された場合には、ステップＳ１−１で補正値メモリ２２へ展開された固定輝度補正値を用いてダミーの輝度補正が行われる。従って、実施の形態４の効果に加えて、表示品質の低下をさらに防ぐことができるという効果を奏する。
【００６２】
＜実施の形態６＞
実施の形態５においては、ステップＳ３−１で第一不揮発性メモリ１３から読み出された第一輝度補正値に第一チェックサムエラーが発生していると判定された場合には、ステップＳ５で第二不揮発性メモリ２３から第二輝度補正値の読み出しを行う。そして、ステップＳ５−１でマイコン２１と第二不揮発性メモリ２３との間で第二通信エラーが発生していないと判定され且つステップＳ５−２で第二輝度補正値に第二チェックサムエラーが発生していないと判定された場合には、ステップＳ６へ進み補正値メモリ２２へ第二輝度補正値を展開する。このとき、第二輝度補正値を第一不揮発性メモリ１３に書き込むことにより、第一不揮発性メモリ１３のデータ破壊等を修復することが可能となる。
【００６３】
図９〜１０は、実施の形態６に係る画像表示装置の制御方法を示すフローチャートである。図９〜１０は、図８において、ステップＳ４に引き続きステップＳ４−１〜Ｓ４−４を、ステップＳ５に引き続きステップＳ５−１−１を、ステップＳ６に引き続きステップＳ６−１を、それぞれ行うとともに、ステップＳ３で第一通信エラーが発生していると判定された場合にステップＳ５’，Ｓ５−１’，Ｓ５−２’，Ｓ６’を行うものである。なお、ステップＳ４−１〜Ｓ４−３は、実施の形態３で図６を用いて説明したものと同様の動作であり、ステップＳ５’，Ｓ５−１’，Ｓ５−２’，Ｓ６’は、実施の形態５で図８を用いて説明したステップＳ５，Ｓ５−１，Ｓ５−２，Ｓ６と同様の動作である。
【００６４】
ステップＳ４−４において、マイコン２１は、ステップＳ４−３で第二不揮発性メモリ２３の書き換えを行ったことを示す書き込みフラグを立てた後に動作を終了する。
【００６５】
また、ステップＳ３において、第一通信エラーが発生していると判定された場合には、マイコン２１は、ステップＳ５’，Ｓ５−１’，Ｓ５−２’，Ｓ６’を行った後に動作を終了する。
【００６６】
また、ステップＳ５−１−１において、マイコン２１は、書き込みフラグが立っているかどうかを判定する。書き込みフラグが立っていない場合には、第二不揮発性メモリ２３に記憶された第二輝度補正値は正常でない可能性があるので、そのまま動作を終了する。すなわち、第二輝度補正値ではなく、ステップＳ１−１で補正メモリ２２へ展開された固定輝度補正値を用いて（ダミーの）輝度補正が行われる。同様に、ステップＳ５−１で第二通信エラーが発生していると判定された場合や、ステップＳ５−２で第二チェックサムエラーが発生していると判定された場合にも、第二輝度補正値ではなく、固定輝度補正値を用いてダミーの輝度補正が行われる。
【００６７】
ステップＳ５−２で第二チェックサムエラーが発生していないと判定された場合には、第二不揮発性メモリ２３に記憶された第二輝度補正値は正常であるので、ステップＳ６で補正値メモリ２２へ第二輝度補正値を展開した後に、ステップＳ６−１へ進み第二不揮発性メモリ２３の書き換えを行い、動作を終了する。
【００６８】
このように、本実施の形態に係る画像表示装置の制御方法では、ステップＳ５−１−１において第二不揮発性メモリ２３の書き換えを行ったことを示す書き込みフラグが立っていないと判定され、ステップＳ５−１で第二通信エラーが発生していないと判定され、ステップＳ５−２で第二チェックサムエラーが発生していないと判定された場合には、第一不揮発性メモリ１３の書き換えを行う。従って、実施の形態５の効果に加えて、第一不揮発性メモリ１３のデータ破壊等を修復することができるという効果を奏する。
【図面の簡単な説明】
【００６９】
【図１】実施の形態１に係る画像表示装置の構成を示すブロック図である。
【図２】実施の形態１に係る発光表示素子の輝度補正を示す模式図である。
【図３】実施の形態１に係る画像表示装置の制御方法を示すフローチャートである。
【図４】実施の形態２に係る画像表示装置の制御方法を示すフローチャートである。
【図５】実施の形態２に係る画像表示装置の制御方法におけるチェックサムを用いた計算を示す模式図である。
【図６】実施の形態３に係る画像表示装置の制御方法を示すフローチャートである。
【図７】実施の形態４に係る画像表示装置の制御方法を示すフローチャートである。
【図８】実施の形態５に係る画像表示装置の制御方法を示すフローチャートである。
【図９】実施の形態６に係る画像表示装置の制御方法を示すフローチャートである。
【図１０】実施の形態６に係る画像表示装置の制御方法を示すフローチャートである。
【符号の説明】
【００７０】
１０  素子駆動ユニット、１１  表示素子群、１２  表示素子ドライバ、１３  第一不揮発性メモリ、２０  制御ユニット、２１  マイコン、２２  補正値メモリ、２３  第二不揮発性メモリ、２４  映像メモリ、２５  演算制御器、１００  画像表示装置、１１１〜１１４  発光表示素子、２２０，２４０  メモリマップ、２５０  演算結果テーブル、３０１，３０２  輝度補正値データ、３０３  チェックサム。
【図１】
2006343467.tif 000003
【図２】
2006343467.tif 000004
【図３】
2006343467.tif 000005
【図４】
2006343467.tif 000006
【図５】
2006343467.tif 000007
【図６】
2006343467.tif 000008
【図７】
2006343467.tif 000009
【図８】
2006343467.tif 000010
【図９】
2006343467.tif 000011
【図１０】
2006343467.tif 000012